【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
像担持体と、前記像担持体を接触帯電する帯電部材と、前記像担持体上にトナー像を形成するために正規極性のトナーを前記像担持体の表面に供給する現像剤担持体と、を各々が有する、第１の画像形成部と、前記第１の画像形成部とは異なる位置に配置された第２の画像形成部と、
前記帯電部材に帯電電圧をする帯電電圧印加部と、
前記帯電電圧印加部を制御する制御部と、を有し、
前記制御部は、前記トナー像を記録材に印字する印字動作と、前記印字動作とは異なるタイミングで行う前記帯電部材をクリーニングするクリーニング動作と、を実行可能であって、前記印字動作では、前記正規極性のトナーとは逆極性のトナーが前記像担持体から前記帯電部材へ移動する方向の帯電電圧を印加するように制御し、
前記第１の画像形成部と前記第２の画像形成部は、前記印字動作において印字に使用されずに第１の像担持体上と第２の像担持体上に残った残トナーをそれぞれ第１の現像剤担持体と第２の現像剤担持体で回収するように構成されており、
前記制御部は、前記クリーニング動作を実行する前に、第１の記録材と前記第１の記録材の後に印字する第２の記録材とを含む複数の記録材に連続して前記印字動作を実行する場合、前記第１の記録材の前記印字動作よりも前記第２の記録材の前記印字動作の方が絶対値が大きい前記帯電電圧を印加することを特徴とする画像形成装置。
【請求項２】
前記制御部は、前記クリーニング動作の実行後における最初の記録材の前記印字動作で印加される前記帯電電圧の絶対値を、前記クリーニング動作の実行直前の記録材の前記印字動作において印加される前記帯電電圧の絶対値よりも小さくなるように制御することを特徴とする請求項１に記載の画像形成装置。
【請求項３】
前記制御部は、前記クリーニング動作を実行する前に複数の記録材に連続して前記印字動作を実行する場合、前記印字動作時に印加される前記帯電電圧の絶対値を、前記クリーニング動作を実行するタイミングに近づくにつれて徐々に大きくなるように制御することを特徴とする請求項１又は２に記載の画像形成装置。
【請求項４】
前記印字動作において、前記帯電部材によって帯電された前記像担持体の表面の画像部を露光する露光ユニットと、
前記現像剤担持体に現像電圧を印加する現像電圧印加部と、を有し、
前記露光ユニットは、前記像担持体の表面の非画像部にも露光し、前記非画像部に対する露光量は、前記非画像部の露光後電位が前記現像電圧印加部によって印加される前記現像電圧の絶対値より小さくならない範囲の露光量であって、
前記制御部は、相対的に絶対値が大きい前記帯電電圧を印加する前記印字動作の方が相対的に絶対値が小さい前記帯電電圧を印加する前記印字動作よりも、前記非画像部に対する露光量が大きくなるように前記露光ユニットを制御することを特徴とする請求項１乃至３のいずれか一項に記載の画像形成装置。
【請求項５】
前記制御部は、前記非画像部に対して露光されて形成された前記像担持体の前記非画像部の露光後電位を、相対的に絶対値が大きい前記帯電電圧を印加して前記印字動作を行う場合と、相対的に絶対値が小さい前記帯電電圧を印加して前記印字動作を行う場合と、で同じになるように制御することを特徴とする請求項４に記載の画像形成装置。
【請求項６】
前記制御部は、前記クリーニング動作の実行直後における最初の記録材の前記印字動作で前記非画像部に対して露光される前記露光量を、前記クリーニング動作の実行直前の記録材の前記印字動作において前記非画像部に対して露光される前記露光量よりも小さくなるように制御する事を特徴とする請求項４又は５に記載の画像形成装置。
【請求項７】
前記制御部は、前記クリーニング動作を実行する前に複数の記録材に連続して前記印字動作を実行する場合、前記印字動作時に前記非画像部に対して露光される前記露光量を、前記クリーニング動作を実行するタイミングに近づくにつれて徐々に大きくなるように制御する事を特徴とする請求項４乃至６のいずれか一項に記載の画像形成装置。
【請求項８】
前記制御部は、前記クリーニング動作を、前記印字動作が終了した直後に実行するように制御する事を特徴とする請求項１乃至７のいずれか一項に記載の画像形成装置。
【請求項９】
前記制御部は、複数の記録材に連続して前記印字動作を行う時の、前記印字動作中の印字枚数、もしくは、前記像担持体の回転数、もしくは、前記像担持体上に形成された前記トナー像の印字率の累積値のいずれかに応じて、前記印字動作中に前記帯電電圧印加部によって前帯電部材に印加する前記帯電電圧を絶対値で大きくなるように制御することを特徴とする請求項１乃至８のいずれか一項に記載の画像形成装置。
【請求項１０】
前記制御部は、複数の記録材に連続して前記印字動作を行う時の、前記印字動作中の印字枚数、もしくは、前記像担持体の回転数、もしくは、前記像担持体上に形成された前記トナー像の印字率の累積値のいずれかに応じて、前記印字動作中に前記帯電電圧印加部によって前記帯電部材に印加される前記帯電電圧の絶対値と前記像担持体を前記非画像部に対して露光する前記露光量のうち少なくとも一方が大きくなるように制御する事を特徴とする請求項４乃至７のいずれか一項に記載の画像形成装置。
【請求項１１】
前記制御部は、複数の記録材に連続して前記印字動作を行う時の、前記印字動作中の印字枚数、もしくは、前記像担持体の回転数、もしくは、前記像担持体上に形成された前記トナー像の印字率の累積値のいずれかが所定量に達した時に、前記クリーニング動作を実行するように制御する事を特徴とする請求項１乃至１０のいずれか一項に記載の画像形成装置。
【請求項１２】
画像形成部の前記像担持体の表面に現像された前記トナー像を記録材に転写する転写部材と、
前記転写部材に転写電圧を印加する転写電圧印加部と、を有し、
前記制御部は、相対的に絶対値が大きい前記帯電電圧を印加する前記印字動作の方が、相対的に絶対値が小さい前記帯電電圧を印加する前記印字動作よりも、前記転写電圧を大きくするように制御することを特徴とする請求項１乃至１１のいずれか一項に記載の画像形成装置。
【請求項１３】
前記第１の画像形成部の前記第１の像担持体上に形成された第１のトナー像と前記第２の画像形成部の前記第２の像担持体上に形成された第２のトナー像が順次転写されて、表面上に複数色の前記トナー像を担持する中間転写体と、
前記中間転写体上に転写された前記トナー像を回収する清掃部材と、を有し、
前記制御部は、前記クリーニング動作によって前記像担持体上に移動させた前記トナーを前記中間転写体上に転写し、前記トナーを前記清掃部材に回収させるように制御する事を特徴とする請求項１に記載の画像形成装置。
【請求項１４】
前記制御部は、前記中間転写体の回転方向において、前記第１の画像形成部の下流に前記第２の画像形成部が配置され、前記第１の画像形成部が最上流に配置される場合、前記第１の画像形成部には、前記クリーニング動作を実行しないように制御する事を特徴とする請求項１３に記載の画像形成装置。
【請求項１５】
第１の像担持体と第２の像担持体と、をそれぞれ露光する第二の露光ユニットであって、
前記第１の像担持体と前記第２の像担持体の回転方向において、前記中間転写体と前記第１の像担持体と前記第２の像担持体のそれぞれの当接部よりも下流側で、且つ前記第１の画像形成部の第１の帯電部材と前記第１の像担持体および前記第２の画像形成部の第２の帯電部材と前記第２の像担持体のそれぞれの当接部よりも上流側に配置される第二の露光ユニットを、前記第１の画像形成部と前記第２の画像形成部の各々が有し、
前記制御部によって前記印字動作が実行される間、前記トナー像が前記中間転写体に転写された後の前記第１の像担持体と前記第２の像担持体の表面の電位を均す露光を前記第二の露光ユニットにより実行し、
前記制御部は、相対的に絶対値が大きい前記帯電電圧を印加する前記印字動作の方が、相対的に絶対値が小さい前記帯電電圧を印加する前記印字動作よりも、前記第二の露光ユニットによって露光される露光量を大きくするように制御することを特徴とする請求項１３又は１４に記載の画像形成装置。
【請求項１６】
像担持体と、前記像担持体を帯電する帯電部材と、前記像担持体上にトナー像を形成するために正規極性のトナーを前記像担持体の表面に供給する現像剤担持体と、印字に使用されずに前記像担持体上に残った残トナーを保持する保持部材と、を各々が有する、第１の画像形成部と、前記第１の画像形成部とは異なる位置に配置された第２の画像形成部と、
前記保持部材に保持電圧を印加する保持電圧印加部と、
前記保持電圧印加部を制御する制御部と、を有し、
前記制御部は、前記トナー像を記録材に印字する印字動作と、前記印字動作とは異なるタイミングで行う前記保持部材をクリーニングするクリーニング動作と、を実行するように制御し、前記印字動作では、前記正規極性のトナーとは逆極性の前記トナーが前記像担持体から前記保持部材へ移動する方向の保持電圧を印加するように前記保持電圧印加部を制御し、
前記第１の画像形成部と前記第２の画像形成部は、前記印字動作において印字に使用されずに第１の像担持体上と第２の像担持体上に残った残トナーをそれぞれ第１現像剤担持体と第２の現像剤担持体で回収するように構成されており、
前記制御部は、前記クリーニング動作を実行する前に、第１の記録材と前記第１の記録材の後に印字する第２の記録材とを含む複数の記録材に連続して前記印字動作を実行する場合、前記第１の記録材の前記印字動作よりも前記第２の記録材の前記印字動作の方が絶対値が大きい前記保持電圧を印加するように前記保持電圧印加部を制御することを特徴とする画像形成装置。
【請求項１７】
前記制御部は、前記クリーニング動作の実行後における最初の記録材の前記印字動作で印加される前記保持電圧の絶対値を、前記クリーニング動作の実行直前の記録材の前記印字動作において印加される前記保持電圧の絶対値よりも小さくなるように制御する事を特徴とする請求項１６に記載の画像形成装置。
【請求項１８】
前記制御部は、前記クリーニング動作を実行する前に複数の記録材に連続して前記印字動作を実行する場合、前記印字動作時に印加される前記保持電圧の絶対値を、前記クリーニング動作を実行するタイミングに近づくにつれて徐々に大きくするように制御する事を特徴とする請求項１６又は１７に記載の画像形成装置。
【請求項１９】
前記トナーは一成分現像剤であることを特徴とする請求項１乃至１８のいずれか一項に記載の画像形成装置。
【手続補正２】
【補正対象書類名】明細書
【補正対象項目名】００１１
【補正方法】変更
【補正の内容】
【００１１】
像担持体と、前記像担持体を接触帯電する帯電部材と、前記像担持体上にトナー像を形成するために正規極性のトナーを前記像担持体の表面に供給する現像剤担持体と、を各々が有する、第１の画像形成部と、前記第１の画像形成部とは異なる位置に配置された第２の画像形成部と、前記帯電部材に帯電電圧をする帯電電圧印加部と、前記帯電電圧印加部を制御する制御部と、を有し、前記制御部は、前記トナー像を記録材に印字する印字動作と、前記印字動作とは異なるタイミングで行う前記帯電部材をクリーニングするクリーニング動作と、を実行可能であって、前記印字動作では、前記正規極性のトナーとは逆極性のトナーが前記像担持体から前記帯電部材へ移動する方向の帯電電圧を印加するように制御し、前記第１の画像形成部と前記第２の画像形成部は、前記印字動作において印字に使用されずに第１の像担持体上と第２の像担持体上に残った残トナーをそれぞれ第１の現像剤担持体と第２の現像剤担持体で回収するように構成されており、前記制御部は、前記クリーニング動作を実行する前に、第１の記録材と前記第１の記録材の後に印字する第２の記録材とを含む複数の記録材に連続して前記印字動作を実行する場合、前記第１の記録材の前記印字動作よりも前記第２の記録材の前記印字動作の方が絶対値が大きい前記帯電電圧を印加することを特徴とする画像形成装置にて達成される。